【手続補正書】
【提出日】平成20年9月12日(2008.9.12)
【手続補正１】
【補正対象書類名】特許請求の範囲
【補正対象項目名】全文
【補正方法】変更
【補正の内容】
【特許請求の範囲】
【請求項１】
ウォブル形状のテスト領域を含む記録媒体にデータを記録する方法であって、
前記方法は、
（ｂ）前記テスト領域のＯＰＣ開始位置を検索するステップと、
（ｃ）ＯＰＣ（Optimum Power Control）プロセスを実行して前記検索されたＯＰＣ開始位置で最適記録パワーを算出するステップと、
（ｄ）前記算出された最適記録パワーを使用してデータ領域にデータを記録するステップと
を含むことを特徴とする方法。
【請求項２】
前記ステップ（ｂ）は、基準位置でウォブルの数をカウントすることによって前記テスト領域の前記ＯＰＣ開始位置を検索することを特徴とする請求項１に記載の方法。
【請求項３】
前記ステップ（ｂ）において、前記テスト領域の前記ＯＰＣ開始位置は、基準位置でウォブルの数をカウントすることによってマッチングテーブルの情報と同一になることを特徴とする請求項１に記載の方法。
【請求項４】
（ａ）既使用のテスト領域を判定するステップをさらに含むことを特徴とする請求項１に記載の方法。
【請求項５】
現在のＯＰＣプロセスに必要なＯＰＣ領域のサイズを決定するステップをさらに含むことを特徴とする請求項１に記載の方法。
【請求項６】
前記記録媒体は、記録可能なブルーレイディスク（ＢＤ−Ｒ）であることを特徴とする請求項１に記載の方法。
【請求項７】
前記テスト領域は、内部領域に位置づけられたＯＰＣ領域であることを特徴とする請求項１に記載の方法。
【請求項８】
前記テスト領域は、外部領域に位置づけられたＤＣＺ領域であることを特徴とする請求項１に記載の方法。
【請求項９】
前記ステップ（ａ）は、前記記録媒体に格納された管理情報に基づいて前記既使用のテスト領域を判定することを特徴とする請求項４に記載の方法。
【請求項１０】
前記管理情報は、前記記録媒体の管理領域に格納されることを特徴とする請求項９に記載の方法。
【請求項１１】
前記管理情報は、前記既使用のテスト領域の開始位置を示すことを特徴とする請求項１０に記載の方法。
【請求項１２】
前記ステップ（ｂ）は、所定の基準ウォブルが検出される場合に、ウォブルカウント基準位置を判定するステップを含むことを特徴とする請求項１に記載の方法。
【請求項１３】
前記ステップ（ｂ）は、物理的クラスタの開始位置を示すウォブルカウント基準位置を判定するステップを含むことを特徴とする請求項２に記載の方法。
【請求項１４】
前記ステップ（ｂ）は、ＡＤＩＰワードの開始位置を示すウォブルカウント基準位置を判定するステップを含むことを特徴とする請求項２に記載の方法。
【請求項１５】
前記ＡＤＩＰワードの開始位置は、前記ＡＤＩＰワードに含まれるＡＤＩＰ単位の情報によって認識されることを特徴とする請求項１４に記載の方法。
【請求項１６】
前記ステップ（ｂ）は、現在のＯＰＣプロセスに必要なＯＰＣ領域のサイズに基づいて前記ＯＰＣ開始位置を判定することを特徴とする請求項２に記載の方法。
【請求項１７】
前記ＯＰＣ開始位置は、前記現在のＯＰＣプロセスに必要なＯＰＣ領域のサイズに依存して変動することを特徴とする請求項１６に記載の方法。
【請求項１８】
前記マッチングテーブルの情報は、ＡＵＮ情報、ＡＤＩＰワード情報及びＡＤＩＰ単位情報を含むことを特徴とする請求項３に記載の方法。
【請求項１９】
前記マッチングテーブルに含まれる前記ＡＤＩＰ単位情報は、個別のＡＤＩＰワードのＡＤＩＰ単位情報を示すことを特徴とする請求項１８に記載の方法。
【請求項２０】
前記ステップ（ｂ）は、
ＡＤＩＰワード開始情報に基づいてウォブルカウント開始基準位置を判定するステップと、
前記ウォブルカウント開始基準位置でウォブルの数をカウントすることによって前記記録媒体のＯＰＣ実行開始位置を検索するステップと
をさらに含むことを特徴とする請求項１に記載の方法。
【請求項２１】
前記テスト領域は、内部方向に配置されたＯＰＣ領域と外部方向に配置されたＤＣＺ領域の中のいずれか一つの領域であることを特徴とする請求項２０に記載の方法。
【請求項２２】
前記ステップ（ｂ）は、
ＡＤＩＰワード開始情報に基づいてウォブルカウント開始基準位置を判定するステップと、
前記ウォブルカウント開始基準位置でマッチングテーブルに対応するウォブルの数をカウントすることによって前記記録媒体のＯＰＣ実行開始位置を検索するステップと
をさらに含むことを特徴とする請求項１に記載の方法。
【請求項２３】
前記マッチングテーブルの情報は、ＡＵＮ情報、ＡＤＩＰワード情報及びＡＤＩＰ単位情報を含むことを特徴とする請求項２２に記載の方法。
【請求項２４】
記録媒体にデータを記録する装置であって、
前記記録媒体のテスト領域でＯＰＣ（Optimum Power Control）開始位置を検索し、前記検索されたＯＰＣ開始位置でＯＰＣプロセスを実行して、最適記録パワーを算出し、前記算出された最適記録パワーを用いてデータを記録するように構成された記録再生部と、
命令に従って前記記録再生部を制御するように構成された制御装置と
を備えたことを特徴とする装置。
【請求項２５】
マッチングテーブルの情報を格納するように構成されたメモリをさらに備え、
前記記録再生部は、前記メモリ内のマッチングテーブルの情報を使用して前記記録媒体のテスト領域においてＯＰＣ開始位置を検索することを特徴とする請求項２４に記載の装置。
【請求項２６】
前記メモリは、ＡＵＮ情報、ＡＤＩＰワード情報及びＡＤＩＰ単位情報を含む前記マッチングテーブルの情報を格納することを特徴とする請求項２５に記載の装置。
【請求項２７】
前記マッチングテーブルに含まれる前記ＡＤＩＰ単位情報は、個々のＡＤＩＰワードのＡＤＩＰ単位情報を示すことを特徴とする請求項２６に記載の装置。
【請求項２８】
前記記録再生部は、基準位置でウォブルの数をカウントすることによって前記テスト領域のＯＰＣ開始位置を検索することを特徴とする請求項２４に記載の装置。
【請求項２９】
前記記録再生部は、基準位置でウォブルの数をカウントすることによってマッチングテーブルの情報と同一になる前記テスト領域のＯＰＣ開始位置を検索することを特徴とする請求項２４に記載の装置。
【請求項３０】
前記記録再生部は、ＡＤＩＰワード開始情報に基づいてウォブルカウント開始基準位置を判定し、前記ウォブルカウント開始基準位置でウォブルの数をカウントすることによって前記記録媒体のＯＰＣ実行開始位置を検索することを特徴とする請求項２４に記載の装置。
【請求項３１】
前記記録再生部は、ＡＤＩＰワード開始情報に基づいてウォブルカウント開始基準位置を判定し、前記ウォブルカウント開始基準位置でマッチングテーブルに対応するウォブルの数をカウントすることによって前記記録媒体のＯＰＣ実行開始位置を検索することを特徴とする請求項２４に記載の装置。
【請求項３２】
内部領域、データ領域及び外部領域を含む記録媒体であって、
前記内部領域及び前記外部領域のうち少なくとも一つの領域に含まれるテスト領域と、
前記テスト領域においてテストするために利用可能な位置を示す位置情報であって、基準位置でウォブルの数をカウントすることによってマッチングテーブルの情報と同一になる位置情報を格納する管理領域と
を備えたことを特徴とする記録媒体。
【請求項３３】
前記マッチングテーブルの情報は、ＡＵＮ情報、ＡＤＩＰワード情報及びＡＤＩＰ単位情報を含むことを特徴とする請求項３２に記載の記録媒体。
【請求項３４】
前記マッチングテーブルに含まれるＡＤＩＰ単位情報は、個々のＡＤＩＰワードのＡＤＩＰ単位情報を示すことを特徴とする請求項３２に記載の記録媒体。